(57)【要約】  【課題】  エチゼンクラゲ等の巨大クラゲを排除し、魚類を有効に捕獲する定置網を提供することを課題としている。  【構成】  本発明は、海流が流れている漁場に設置される定置網において、前記定置網の囲網部の下流側に巨大クラゲ並びに魚類を溜める第２囲網部を設け、該第２囲網部から分岐して魚類を箱網部又は袋網等に誘導する魚道を設け、該第２囲網部に溜まった巨大クラゲを外部に開放する開口を第２囲網部の下流側に設けたことを特徴とし、魚類と共にエチゼンクラゲ等も一緒に入網させ、第２囲網部に誘導し、魚類とクラゲとの遊泳特性の差異や行動特性の差異を利用し、魚類は定置網本体に進入させ、第２囲網部に溜まったクラゲを外部に放出することを特徴としている。【選択図】  図１
2008142027.tif 000002
【特許請求の範囲】
【請求項１】
海流が流れている漁場に設置される定置網において、前記定置網の囲網部の下流側に巨大クラゲ並びに魚類を溜める第２囲網部を設け、該第２囲網部から分岐して魚類を箱網部又は袋網等に誘導する魚道を設け、該第２囲網部に溜まった巨大クラゲを外部に開放する開口を第２囲網部の下流側に設けたことを特徴とする定置網。
【請求項２】
前記魚道は該分岐点から分岐して、海流に逆らって上流方向に向かう所定距離以上の魚道を有することを特徴とする請求項１に記載の定置網。
【請求項３】
前記所定距離は、魚類は容易に通過できるが、巨大クラゲは通過困難になる距離にしたことを特徴とする請求項２に記載の定置網。
【請求項４】
前記開口は、前記第２囲網部の最下流の後壁網に設け、巨大クラゲを開放するときに開き、魚類を捕獲するときに閉鎖する開閉手段を設けたことを特徴とする請求項１〜請求項３に記載の定置網。
【請求項５】
前記開閉手段は、一側を軸にして反対側が水平方向に回動するように構成したもの、観音開きに開閉可能にしたものであることを特徴とする請求項４に記載の定置網。
【請求項６】
前記開口は、前記第２囲網部の最下流側の海面側上方の一部を切除して、浮上した巨大クラゲを開放するように構成したことを特徴とする請求項１〜請求項３に記載の定置網。
【請求項７】
前記開口に近接又は一致させて気泡発生装置を配置し、巨大クラゲは該開口を通過可能にし、魚類は通過困難にしたことを特徴とする請求項１〜請求項６に記載の定置網。
【請求項８】
前記定置網の囲網部と前記第２囲網部とを兼用して構成したことを特徴とする請求項１〜請求項７に記載の定置網。
【発明の詳細な説明】
【技術分野】
【０００１】
この発明は、エチゼンクラゲ等の巨大クラゲが箱網部又は袋網等の内部に進入することを防止した定置網に関するものである。
【背景技術】
【０００２】
定置網（又は建網ともいう）は海面に網を敷設し、回遊してきて網に迷い込んだ魚を漁獲する方法であり、日本における漁獲技術の１つとして従来から使用され、現在なおも採用されている漁獲方法である。日本近海には多くの海流（例えば、黒潮や親潮）が流れており、この海流に乗っていろいろな種類の魚、例えば、鰯、鰺、鯖、鰹、鮪、ブリや鮭等が回遊してくる。これは、小魚の餌となるプランクトンが海流により運ばれたり、潮境に寄せ集められたりして大発生し、食物連鎖によって魚類の生産に大きな寄与をするからである。
【０００３】
定置網の種類や構成及び敷設方法等については多くの文献やホームページ（以下、ＨＰと略記する）に開示されている。例えば、非特許文献１〜４に掲載されている。ここでは、図８に標準的な大型定置網の１例を示す。図８に示すように、定置網５０は垣網５１、囲網５２、袋網５３等から構成されている。囲網５２の内部は運動場と呼んでいるスペース５２ａと登網部と呼ばれているスペース５２ｂとが設けられている。また、定置網５０の上縁に設けられたロープには浮きが設けられ、該ロープには更に定置網を固定するための固定用ロープ５４が浮きの箇所で垂直に接続され、固定用ロープ５４の他端には海底に沈められた固定重り５５に結ばれ、定置網５０を固定している。また、囲網５２と垣網５１が交差する点には囲網入口５６が設けられている。上記した構成により、海流に乗って回遊して来た魚類は垣網５１に進路を遮られ、垣網５１に沿って沖合方向に誘導される。誘導された魚類は囲網入口５６を通って囲網５２内部に入る。一部は運動場５２ａの内部で遊泳し、外部に逃げてゆくが、他の一部は登網部５２ｂを登って、袋網５３へ進入する。袋網５３の入口は狭められ、かつ、段差が設けられているため、袋網５３に入った魚類は簡単に外部に脱出はできない。
【非特許文献１】野村正恒著、最新漁業技術一般、成山堂書店、１８０〜１９６頁、平成１２年４月出版
【非特許文献２】金田禎之著、日本の漁業と漁法、成山堂書店、７４〜８５頁、平成１７年６月出版
【非特許文献３】鈴木マリーンＨＰ、海の散歩道０３０２、釣師の通らない道Ｖｏｌ．１０、周辺の海の環境−９、定置網−４、定置網のしくみ
【非特許文献４】泉澤水産ＨＰ、定置網
【０００４】
図１１は近年よく利用されている２段落網を設けた定置網６０を示す。図１１において、図１０と同一の部分には同一の番号を付して説明を省略し、異なる部分について説明する。図９では袋網５３に代えて箱網が２段構成（第１箱網６２と第２箱網６３）に設けられている。更に、図９では金庫と呼ばれる返しの付いた袋網６４が設けられている。第１箱網６２の底面には登網６２ｂが設けられ、第２箱網６３の底面には底網６３ｂが設けられている。以上の構成により、定置網６０は箱網６２、６３をカスケードに連結し、登網５２ｂ、６２ｂを２段に設けて２段落としになっているので、図８の定置網に比べて、中に入った魚類が逸散する確率が少なくなるという効果が得られる。更に、登網の勾配を小さくできるという特徴がある。また、袋網６４に入網した魚類は逃げることがない。なお、定置網６０では、垣網５１の端部は囲網入口５６の中央に設けられている。
【０００５】
上記した定置網は海流に乗って回遊してくる魚類を捕獲する漁法であり、比較的に少ない労力で、しかも大量の魚類を捕獲することができ、種々の魚類に適用できる有力な漁法の１つであった。しかし、図１０に示すように、近年、中国や韓国の沿岸でエチゼンクラゲが大発生し、成長しながら海流（対馬暖流）に乗って日本海を北上し、日本海の沿岸にも来遊するという現象が頻発するようになってきた。日本海沿岸に来遊したクラゲは定置網にも進入し、特に定置網漁業に大きな被害を与えている。エチゼンクラゲの大きなものは傘の直径が１ｍ以上、重量２００ｋｇにもなるために、エチゼンクラゲの入網により漁具の破損、操業効率の低下、操業海域の縮小、選別時間の増加、クラゲの触手による魚体の損傷（商品価値の低下）等の被害が生じている（非特許文献５，６参照）。
【非特許文献５】島根県水産試験場ＨＰ、エチゼンクラゲについて
【非特許文献６】安田徹編、海のＵＨＯクラゲ、１１６−１２０頁、恒星社厚生閣
【０００６】
エチゼンクラゲの定置網への入網を防止する有効な手段は現在の所、まだ開発されていない。提案された方法としては非特許文献７に開示されているものがある。図１１はこの方法を示すものであり、図１１（Ａ）は従来の定置網を示し、図１１（Ｂ）は提案された方法を示す。これらの図の比較から明らかなように、提案された方法では垣網の目合を拡大し、エチゼンクラゲを網目から通過させて身網（囲網等）に進入する数量を減らす方法である。しかし、エチゼンクラゲは小さいものから上記したように大きなものまで存在する。大きなエチゼンクラゲまで通過させると小型魚や中型魚まで通過し、漁獲量が殆どゼロになるという危険性があって、実用的に大きな問題がある。
【非特許文献７】海洋センターＨＰ、定置網漁業第５回、１−２エチゼンクラゲ対策
【発明の開示】
【発明が解決しようとする課題】
【０００７】
本願発明はこのような状況下でなされたものであり、比較的簡単な改良によってエチゼンクラゲ等の巨大クラゲを排除し、魚類を有効に捕獲する定置網を提供することを課題としている。
【課題を解決するための手段】
【０００８】
本願発明は、上記の課題を解決するために以下の構成を採用している。即ち、
請求項１に記載の発明は、海流が流れている漁場に設置される定置網において、前記定置網の囲網部の下流側に巨大クラゲ並びに魚類を溜める第２囲網部を設け、該第２囲網部から分岐して魚類を箱網部又は袋網等に誘導する魚道を設け、該第２囲網部に溜まった巨大クラゲを外部に開放する開口を第２囲網部の下流側に設けたことを特徴としている。
本発明は魚類と共にエチゼンクラゲ等（以下、単にクラゲという）も一緒に入網させ、第２囲網部に誘導し、魚類とクラゲとの遊泳特性の差異（例えば、魚類はクラゲに比べて遊泳力が極めて大きい）や行動特性（例えば、視覚の有無による）の差異を利用し、魚類は定置網本体（箱網、袋網等）に進入させ、第２囲網部に溜まったクラゲを外部に放出することを特徴としている。
【０００９】
請求項２に記載の発明は、請求項１に記載の発明において、前記魚道は該分岐点から分岐して、海流に逆らって上流方向に向かう所定距離以上の魚道を有することを特徴としている。
請求項３に記載の発明は、請求項２に記載の発明において、前記所定距離は、魚類は容易に通過できるが、巨大クラゲは通過困難になる距離にしたことを特徴としている。
【００１０】
請求項４に記載の発明は、請求項１〜請求項３に記載の発明において、前記開口を前記第２囲網部の最下流の後壁網に設け、巨大クラゲを開放するときに開き、魚類を捕獲するときに閉鎖する開閉手段を設けたことを特徴としている。
請求項５に記載の発明は、請求項４に記載の発明において、前記開閉手段は、一側を軸にして反対側が水平方向に回動するように構成したもの、観音開きに開閉可能にしたものであることを特徴としている。
上記２発明（請求項４，５）は、巨大クラゲを開放するための開閉手段（網戸等）を設けて第２囲網部内に溜まったクラゲを外部に放出し、大量のクラゲによって定置網が破損又は機能しなくなること防止することを特徴としている。
【００１１】
請求項６に記載の発明は、請求項１〜請求項３に記載の発明において、前記開口は、前記第２囲網部の最下流側の海面側上方の一部を切除して、浮上した巨大クラゲを開放するように構成したことを特徴としている。
本発明はエチゼンクラゲが日没前等に海面表層へ浮上するという性質を利用したことを特徴としている。
【００１２】
請求項７に記載の発明は、請求項１〜請求項６に記載の発明において、前記開口に近接又は一致させて気泡発生装置を配置し、巨大クラゲは該開口を通過可能にし、魚類は通過困難にしたことを特徴としている。
本発明は、魚類は眼を持っており、気泡に敏感に反応し、回避行動をとる魚もいる。エチゼンクラゲは眼を持っていないので、気泡に殆ど反応せずに潮流に乗って第２囲網部の開口から外部に移動するという性質を利用している。
【００１３】
請求項８に記載の発明は、請求項１〜請求項７の何れか１に記載の発明において、前記定置網の囲網部と前記第２囲網部を兼用して構成したことを特徴としている。
【発明の効果】
【００１４】
本願発明に依れば、魚類と共にクラゲも一緒に入網させ、第２囲網部に誘導し、魚類とクラゲとの遊泳特性の差異や行動特性の差異を利用し、魚類は定置網本体（箱網、袋網）等に進入させ、第２囲網部に溜まったクラゲを外部に放出している。また、定置網本体にはクラゲは進入しないので魚類とクラゲが接触する機会はほぼゼロで魚体は損傷を受けずに捕獲できるという効果が得られる。更に、第２囲網部に溜まったクラゲは適宜外部に放出されるので定置網が破損する等の事故は防止できるという効果が得られる。  
【発明を実施するための最良の形態】
【００１５】
図１〜図４を利用して本願発明の実施形態（最良と推定される定置網の実施例）を説明する。図１は実施形態の定置網１０の全体概略図を示す。なお、ここでは、定置網１０を敷設する方法は従来技術（例えば、非特許文献１、２を参照）と同じであり、説明を省略している。図１において、垣網１１は海流（又は潮流）の流れ方向とほぼ垂直に張られる。垣網１１の１端部１１ａは、囲網１２の入口部（袋口、又は端口とも言う）１２ａに進入して設置される。囲網１２は、スペース１２ｂとスペース１２ｃとから構成され、スペース１２ｂは運動場と呼ばれ、底網はない。それに反して、スペース１２ｃは平らな底網又は緩やかな傾斜を持つ登網が設けられている。スペース１２ｃの下流に第２囲網１４が接続されており、第２囲網１４の底はスペース１２ｃの底と連続する平らな底網（又は登網）を設置する。
【００１６】
第２囲網１４の下流側には溜まったクラゲを外部に排出するための開口部１５を設ける。開口部１５については後述する。第２囲網１４の沖側の側壁には魚類を誘導し、箱網（又は、落し網とも言う）１７にガイドするためのガイド網（又は魚道）１６が設けられる。ガイド網１６はＵ字形状に構成され、第２囲網１４との接続端から所定距離上流方向に向かえ、その後下流に向かっている。この所定距離（Ｌ）は魚類にとっては容易に泳げる距離であって、クラゲには容易に到達できない距離とすることが望ましい。ガイド網１６の底部には登網又は水平な底網を設ける。箱網１７の下流に第２箱網１８を設けて２重の落し網として入った魚類が逃げないようにする。箱網１７の底部は登網とし、第２箱網１８の底部は水平な底網とする。
【００１７】
図２は第２囲網１４の下流壁網に設けた開口部１５と開口部１５に設けた開閉自在な網戸２０の正面図を示す。図２は網戸２０を水平方向に開閉する実施例を示す。網戸２０は第２囲網１４の開口部１５に取付けるための枠体２１と枠体２１に回転自在に支持される網戸本体２２から構成される。枠体２１の外側には取付け用の小穴を設けた取付け片２３が固設されており、網戸本体２２を回転自在に支持する支持部材２４と網戸本体２２を開閉駆動する油圧駆動装置２５が枠体２１に固設されている。網戸本体２２にも網取付け用の小穴を設けた取付け片２７が固設されている。
【００１８】
図３、図４は油圧駆動装置２５の説明図である。図３（Ａ）は正面図を示し、図３（Ｂ）はＸ−Ｘから見た断面図を示す。図４は縦断面図を示す。油圧駆動装置２５は図３（Ｂ）に示すように、筒状の筒壁２８と、筒壁２８の内部に固定された２枚の固定板２９と、回転軸部２２ａに固定され、固定板２９、２９の間を揺動する回転板３０と、圧油を供排するポート３１、３２とから構成される回転式油圧シリンダである。なお、筒壁２８には回転板３０の回転角度を制限するストッパ３４，３５が設けられている。また、回転軸部２２ａにはスラスト軸受け３３が設けられている。ポート３１，３２はコネクタ３５を介して図示されていない漁船等に搭載された油圧ポンプに接続されている。図４に示す矢印方向に圧油が供給されたときは網戸本体２２反時計方向に回転し、開口部１５が開き、クラゲを放出することができる。図の矢印と反対方向に圧油が供給されたときは時計方向に回転する。これによって、開口部１５を再度閉じることができる。なお、図２に示す２個の回転式油圧シリンダ２５、２５の油圧ポートは図示省略のパイプによって連結され、同期して作動する。
【００１９】
網戸２０は上に述べたものに限られず、例えば、中央から両方に開く観音開きの網戸にしてもよい。また、回転式油圧シリンダ２５は、ロープの一端を網戸に結び、他端を漁船等に搭載したウインチ又は漁船に結んで引っ張って開放し、閉めるときに滑車等を使用して向きを変えるようにしたものでもよい。
【００２０】
以上に述べた実施形態は以下のように機能する。即ち、海流に乗って来た魚類やクラゲは、図１に示すように、垣網１１に当たって進路を変更し、垣網１１に沿いつつ沖合の方向に誘導され、垣網１１の先端にある囲網入口１２ａから内部に進入する。進入した魚類の一部及びクラゲは更に底網１２ｃを通過して第２囲網１４に進入する。第２囲網１４に進入した魚類は回遊し、一部は更にガイド網１６の部分を上流に向かって遊泳し、箱網（落網）１７、１８に落ちこむ。箱網１８に入った魚類はそこから抜け出せないのでその場所に留まっている。一方、第２囲網１４に進入したクラゲは遊泳力が小さいので第２囲網１４内部に留まっている。箱網（落網）１７、１８に落ちこんだ魚類は適当な時期（例えば、毎朝）に揚網し、内部の魚類を捕獲する。また、第２囲網１４内部に留まったクラゲは開口部１５を開いてクラゲを下流に向けて放出する。なお、開口部１５を開く時期は魚類を捕獲する時期と一致させる必要はないが、大量のクラゲが第２囲網１４内部に溜まる前に放出するのが好ましい。
【００２１】
開口部１５は以上に述べた実施例に限られず、図５又は図６に示す実施例の構成にしてもよい。図５に示す方法は、第２囲網１４の後部網の上辺の部分３８を切り取って常時開口にしておく方法である。この方法はミズクラゲ等の浮上する性質を利用するものである。即ち、これらのクラゲは、日中は７ｍ前後の中層で浮遊しており、日没前にはクラゲの多く（５０％以上）が２ｍ付近の表層に浮上し、日没後には再び７ｍ前後の中層に戻り、夜間（１９時頃）から朝方（５時頃）までは１２〜１３ｍの低層に留まるという性質を持っている（非特許文献８参照）。エチゼンクラゲはミズクラゲと似た共通の性質を持つことからエチゼンクラゲも同様な性質を持つものと考えられる。従って、浮上したクラゲは海流によって第２囲網１４の外に流出される。開口３８の海面からの深さは３ｍ程度にするのが好ましい。なお、この方法は、前記した網戸２２の開閉作業が不要である点で優れている。しかし、中層や低層を回遊する魚（カレイ類等）の捕獲には適用できるが、表層を回遊する魚（ブリ、鰯、あじ、鯖等）には適用できないという欠点がある。
【非特許文献８】安田徹編、海のＵＨＯクラゲ、６３−７３頁、恒星社厚生閣
【００２２】
魚類とクラゲの相違点のもう一つは、魚類は眼をもっており、光の明暗や色の判別ができ、クラゲ類は眼を持っていない点である（非特許文献９参照）。従って、気泡幕によって魚類の進行方向を変更させることができる（特許文献１参照）が、クラゲ類は気泡幕によって浮上するだけである。以上のことから、図６に示すように開口ぶ１５を第２囲網１４の後部網の上辺に設け、開口部１５の底辺に気泡発生管４１を配設し、気泡発生装置４０を海面に設けている。気泡発生装置４０は、例えば密閉した浮き箱４０ａ内にコンプレッサー４０ｂと駆動用電池を設けた構成でもよい。また、開口３９の海面からの深さはクラゲの浮遊する深さで、海面からの光が届く深さで、略１５ｍ位にするのが好ましい。以上の構成により、第２囲網１４に進入した魚類は第２囲網１４内に留まり、一部がガイド網１６の部分を通って箱網１７，１８に進入する。一方第２囲網１４内に進入したクラゲは開口３９から下流に向かって出て行く。
【非特許文献９】野村正恒著、最新漁業技術一般、成山堂書店、１０８〜１１２頁、平成１２年４月出版
【特許文献１】公開特許公報、特開平５―９５７４６号、気泡幕による定置網用魚群誘導方法とその装置
【００２３】
図７は前記した実施形態の定置網１０において、第２囲網１４を囲網１２の一部（下部）１２ｃと兼用した実施形態４５を示す。この実施形態を利用すれば、従来の定置網から僅かな変更のみで実施可能になるが、第２囲網１４と囲網入口部１２ａとが近接しているため、入網した魚類が逸散する確率も高くなるという欠点が生じる。
【００２４】
以上に説明したように、本実施形態の定置網によれば、海流に乗って魚類とクラゲが一緒に回遊して来た場合にも、クラゲを分離して魚類のみを捕獲できるという効果がある。また、第２囲網内にクラゲが大量に溜まる前に適宜クラゲの放出をすれば定置網の破損という被害を防止することもできる。
【００２５】
以上本発明の実施形態を図面に基づいて詳述してきたが、本発明の技術的範囲はこれに限られるものではない。例えば、垣網に進路を遮られた魚類は沖側の深い方向へ回る性質を持つことから、上記実施形態では囲網を沖側に設けたが、これに限られず陸側に設けた場合も本発明の技術的範囲に属する。箱網等の敷設位置も同様である。また、上記実施形態では２重落とし網の場合について述べてきたが、本発明の技術的範囲はこれに限られず、他の形式の定置網やサイズの異なる中型又は小型の定置網にも適用される。
【図面の簡単な説明】
【００２６】
【図１】本発明を実施した実施形態を示す。
【図２】本実施形態の開口部に設けた網戸の正面図を示す。
【図３】（Ａ）、（Ｂ）は網戸を開閉する回転式油圧シリンダの全体図、平面断面図を示す。
【図４】回転式油圧シリンダの縦断面図を示す。
【図５】本実施形態の開口部の別の実施例を示す。
【図６】本実施形態の開口部の更に別の実施例を示す。
【図７】本実施形態を変形した別の実施形態例を示す。
【図８】従来の定置網の構成例を示す。
【図９】従来の２重落とし網を採用した定置網の例を示す。
【図１０】エチゼンクラゲが来遊する海流を示す。
【図１１】従来のエチゼンクラゲの入網を防止する定置網を示す。
【符号の説明】
【００２７】
１０、４５        定置網
１１              垣網
１２              囲網
１２ａ            入口部
１４              第２囲網
１５              開口部
１６              ガイド網（魚道）
１７、１８        箱網
２０              網戸
２１              網戸枠
２２              網戸本体          
２５              油圧駆動装置
４０              気泡発生装置
４１              気泡発生管
【図１】
2008142027.tif 000003
【図２】
2008142027.tif 000004
【図３】
2008142027.tif 000005
【図４】
2008142027.tif 000006
【図５】
2008142027.tif 000007
【図６】
2008142027.tif 000008
【図７】
2008142027.tif 000009
【図８】
2008142027.tif 000010
【図９】
2008142027.tif 000011
【図１０】
2008142027.tif 000012
【図１１】
2008142027.tif 000013